(57)【特許請求の範囲】
【請求項１】
壁面に形成される埋入ボックスに挿入されるスイッチボックス部と、前記スイッチボックス部の内部に挿入され、複数のＰＣＢが積層されて配置されるバックカバー部と、前記スイッチボックス部に結合され、前記バックカバー部を固定する固定プレート部と、前記固定プレート部を貫通する前記バックカバー部の一端に固設され、前記複数のＰＣＢと電気的に連結され、前記複数のＰＣＢにスイッチング駆動情報を静電式タッチ方式で入力するＬＣＤタッチパッド部とを含み、  前記固定プレート部には、前記バックカバー部が貫通される貫通ホールと、前記貫通ホールの内周から延長して前記バックカバー部の外面を支持する支持片が形成され、  前記ＬＣＤタッチパッド部は、前記固定プレート部上に固定され、前記複数のＰＣＢと電気的に連結され、移動式メモリーが挿入されるメインＰＣＢと、前記メインＰＣＢと電気的に連結され、前記静電式タッチ方式で入力信号を前記メインＰＣＢに伝達するＬＣＤと、前記ＬＣＤの枠を固定するように前記固定プレート部の枠と結合されるベゼルと、前記ベゼルと前記ＬＣＤの枠を密閉するゴムパッキンとを備えることを特徴とする、壁面付着型タッチスイッチ。
【請求項２】
壁面に形成される埋入ボックスに挿入されるスイッチボックス部と、前記スイッチボックス部の内部に挿入され、複数のＰＣＢが積層されて配置されるバックカバー部と、前記スイッチボックス部に結合され、前記バックカバー部が貫通され、貫通される前記バックカバー部の外面を支持する固定プレート部と、前記固定プレート部を貫通した前記バックカバー部の一端と結合され、前記複数のＰＣＢと電気的に連結され、前記複数のＰＣＢにスイッチング駆動情報を静電式タッチ方式で入力するＬＣＤタッチパッド部と、を含み、  前記固定プレート部には、前記バックカバー部が貫通される貫通ホールと、前記貫通ホールの内周から延長して前記バックカバー部の外面を支持する支持片が形成され、  前記ＬＣＤタッチパッド部は、ベゼル、メインＰＣＢ、ＬＣＤの順に積層された構造を有することを特徴とする、壁面付着型タッチスイッチ。
【請求項３】
前記ベゼルは、一端が前記固定プレート部と結合することができる固定プレート部結合片を備え、他端は前記メインＰＣＢ及びＬＣＤを収容する溝を備えたことを特徴とする、請求項２に記載の壁面付着型タッチスイッチ。
【請求項４】
前記メインＰＣＢは、前記複数のＰＣＢと電気的に連結され、前記ＬＣＤは、静電式タッチ方式で入力信号を前記メインＰＣＢに伝達することを特徴とする、請求項３に記載の壁面付着型タッチスイッチ。
【請求項５】
前記メインＰＣＢには、
移動式メモリーが挿入され、前記複数のＰＣＢと電気的に連結されるメモリー挿入部が形成されることを特徴とする、請求項１及び４のいずれか一項に記載の壁面付着型タッチスイッチ。
【請求項６】
前記複数のＰＣＢには、有無線通信が可能になるようにジグビー（Ｚｉｇｂｅｅ）通信方式または電源重畳通信方式（Ｅ／Ｆ２）のうちいずれか一つを選択して適用することができるようにすることを特徴とする、請求項１及び４のいずれか一項に記載の壁面付着型タッチスイッチ。
【請求項７】
前記ジグビー（Ｚｉｇｂｅｅ）通信方式と電源重畳通信方式（Ｅ／Ｆ２）をゲートウェイ（Ｇａｔｅｗａｙ）を介して結合して適用することができるようにすることを特徴とする、請求項６に記載の壁面付着型タッチスイッチ。
【請求項８】
前記ベゼルには、メインＰＣＢと一定の間隔を維持するメインＰＣＢ遊隔ピンが備えられることを特徴とする、請求項４に記載の壁面付着型タッチスイッチ。
【請求項９】
前記メインＰＣＢの一面部は、前記ＬＣＤの一端に、両面接着テープ、接着剤、及び、ナットのうちのいずれか一つの締結手段を介して結合されることを特徴とする、請求項４に記載の壁面付着型タッチスイッチ。
【発明の詳細な説明】
【技術分野】
【０００１】  本発明は、壁面付着型タッチスイッチに関し、より詳しくは、使用者がスイッチング動作及び制御に要求される一連の制御動作をＬＣＤパネルを使用して静電容量式タッチで制御させると同時に、スイッチの構成情報をメモリーカードを使用して保存することで簡便に登録することができる壁面付着型タッチスイッチに関する。
【背景技術】
【０００２】  通常、壁面埋入タイプ用のスイッチユニットは天井や壁面に設けられる各種照明器具を点灯、消灯させるために準備され、通常、スイッチユニットはスイッチが１個のものから多い時は６個のものが使用されている。【０００３】  かかるスイッチユニットに関連して、特許文献１の図１には型（ｍｏｌｄ）形態で埋設されたスイッチボックスに埋立電源ケーブルと連結されるスイッチ端子を固定フレームに固定し、その上にスイッチプレートを挟み、最後にオン／オフタッチ操作のためのスイッチカバーが組み立てられている。【０００４】  上記のような大部分のスイッチユニットは、それぞれのスイッチ端子ごとに所定の照明器具を制御する固定端子と可動端子からなるスイッチ端子である器具構造物が備えられなければならないため、スイッチが１個のものから６個のものがそれぞれ準備される。【０００５】  近年、スイッチング動作に伴う器具物の数を減らそうとＬＣＤを使用してタッチ制御を行う方式の開発が行われている。【０００６】  しかし、一般的なプログラムスイッチの場合、使用者の操作時に最大１３ｍＡ程度必要とするため、使用者の操作時に高い消費電流、エネルギーを必要とする問題点がある。
【先行技術文献】
【特許文献】
【０００７】
【特許文献１】韓国登録特許第１０−０５８２８６８号公報
【発明の概要】
【発明が解決しようとする課題】
【０００８】  本発明の目的は、使用者がスイッチング動作及び制御に要求される一連の制御動作をＬＣＤパネルを使用して静電容量式タッチで制御させると同時に、スイッチの構成情報をメモリーカードを使用して保存することで簡便に登録することができる壁面付着型タッチスイッチを提供することにある。
【課題を解決するための手段】
【０００９】  好ましい態様において、本発明は壁面付着型タッチスイッチを提供する。【００１０】  前記壁面付着型タッチスイッチは、壁面に形成される埋入ボックスに挿入されるスイッチボックス部と、前記スイッチボックス部の内部に挿入され、複数のＰＣＢが積層されて配置されるバックカバー部と、前記スイッチボックス部に結合され、前記バックカバー部を固定する固定プレート部、及び前記固定プレート部を貫通する前記バックカバー部の一端に固設され、前記複数のＰＣＢと電気的に連結され、前記複数のＰＣＢにスイッチング駆動情報を静電式タッチ方式で入力するＬＣＤタッチパッド部と、を含む。【００１１】  前記ＬＣＤタッチパッド部は、前記固定プレート部上に固定され、前記複数のＰＣＢと電気的に連結され、移動式メモリーが挿入されるメインＰＣＢと、前記メインＰＣＢと電気的に連結され、前記静電式タッチ方式で入力信号を前記メインＰＣＢに伝達するＬＣＤと、前記ＬＣＤの枠を固定するように、前記固定プレート部の枠と結合されるベゼルと、前記ベゼルと、前記ＬＣＤの枠を密閉するゴムパッキンを備えることが好ましい。【００１２】  前記メインＰＣＢには、前記移動式メモリーが挿入され、前記複数のＰＣＢと電気的に連結されるメモリー挿入部が形成されることが好ましい。【００１３】  前記固定プレート部には、前記バックカバー部が貫通される貫通ホールと、前記貫通ホールの内周から延長して前記バックカバー部の外面を支持する支持片が形成されることが好ましい。【００１４】  前記複数のＰＣＢには、ジグビー（Ｚｉｇｂｅｅ）通信方式または電源重畳通信方式（Ｅａｓｙ Ｃｏｎｔｒｏｌ ｆｕｌｌ−２ ｗａｙ Ｌｉｇｈｔｉｎｇ Ｃｏｎｔｒｏｌ ｓｙｓｔｅｍ、Ｅ／Ｆ２）をそれぞれ選択して適用することができるか、前記ジグビー（Ｚｉｇｂｅｅ）通信方式と電源重畳通信方式（Ｅ／Ｆ２）をゲートウェイ（Ｇａｔｅｗａｙ）を介して結合して適用することができることが好ましい。
【発明の効果】
【００１５】  本発明は、使用者がスイッチング動作及び制御に要求される一連の制御動作をＬＣＤタッチパッド部を使用して入力を簡便にさせ、多様な制御画面を構成することができると同時に、ＬＣＤタッチパッド部の画面の明るさを調節して使用及び未使用時の制御を行うことでエネルギーを効率的に節約することができる効果を有する。【００１６】  また、本発明は、静電容量式タッチで制御させると同時に、スイッチの構成情報をメモリーカードを使用して保存することで簡便に登録することができるようにしてメンテナンス時に便利さを提供することができる効果を有する。
【図面の簡単な説明】
【００１７】
【図１】本発明の壁面付着型タッチスイッチを示す結合斜視図である。
【図２】本発明の壁面付着型タッチスイッチが結合された側面を示す図である。
【図３】本発明の壁面付着型タッチスイッチを示す分解斜視図である。
【図４】本発明の壁面付着型タッチスイッチを示す他の分解斜視図である。
【図５】本発明の壁面付着型タッチスイッチのまた他の実施例を示す結合斜視図である。
【図６】本発明の壁面付着型タッチスイッチのまた他の実施例として、図５の結合断面図。
【図７】本発明の固定プレート部を示す斜視図である。
【図８】本発明の壁面付着型タッチスイッチにジグビー（Ｚｉｇｂｅｅ）通信方式が結合されて適用される状態を説明するためのブロック図である。
【図９】本発明の壁面付着型タッチスイッチに電源重畳通信方式（Ｅ／Ｆ２）が結合されて適用される状態を説明するためのブロック図である。
【図１０】本発明の壁面付着型タッチスイッチにジグビー（Ｚｉｇｂｅｅ）通信方式と電源重畳通信方式（Ｅ／Ｆ２）がゲートウェイ（Ｇａｔｅｗａｙ）によって結合されて適用される状態を説明するためのブロック図である。
【発明を実施するための形態】
【００１８】  本発明は、壁面付着型タッチスイッチに関し、壁面に形成される埋入ボックスに挿入されるスイッチボックス部と、前記スイッチボックス部の内部に挿入され、複数のＰＣＢが積層されて配置されるバックカバー部と、前記スイッチボックス部に結合され、前記バックカバー部が貫通され、貫通される前記バックカバー部の外面を支持する固定プレート部と、前記固定プレート部を貫通した前記バックカバー部の一端と結合され、前記複数のＰＣＢと電気的に連結され、前記複数のＰＣＢにスイッチング駆動情報を静電式タッチ方式で入力するＬＣＤタッチパッド部と、を含み、前記固定プレート部には、前記バックカバー部が貫通される貫通ホールと、前記貫通ホールの内周から延長して前記バックカバー部の外面を支持する支持片が形成され、前記ＬＣＤタッチパッド部はベゼル、メインＰＣＢ、ＬＣＤの順に積層される構造を有し、一端が前記固定プレート部と結合することができる固定プレート部結合片を備え、他端は前記メインＰＣＢ及びＬＣＤを収容する溝を備えるベゼル、前記複数のＰＣＢと電気的に連結され、移動式メモリーが挿入されるメインＰＣＢと、前記メインＰＣＢと電気的に連結され、前記静電式タッチ方式で入力信号を前記メインＰＣＢに伝達するＬＣＤを備えることを特徴とする。
【実施例】
【００１９】  以下、添付の図面を参照して本発明の壁面付着型タッチスイッチを説明する。【００２０】  図１は本発明の壁面付着型タッチスイッチを示す結合斜視図であり、図２は本発明の壁面付着型タッチスイッチが結合された側面を示す図であり、図３は本発明の壁面付着型タッチスイッチを示す分解斜視図であり、図４は本発明の壁面付着型タッチスイッチを示す他の分解斜視図であり、図５は本発明の壁面付着型タッチスイッチのまた他の実施例を示す結合斜視図であり、図６は本発明の壁面付着型タッチスイッチのまた他の実施例として、図５の結合断面図であり、図７は本発明の固定プレート部を示す斜視図であり、図８は本発明の壁面付着型タッチスイッチにジグビー（Ｚｉｇｂｅｅ）通信方式が結合されて適用される状態を説明するためのブロック図であり、図９は本発明の壁面付着型タッチスイッチに電源重畳通信方式（Ｅ／Ｆ２）が結合されて適用される状態を説明するためのブロック図であり、図１０は本発明の壁面付着型タッチスイッチにジグビー（Ｚｉｇｂｅｅ）通信方式と電源重畳通信方式（Ｅ／Ｆ２）がゲートウェイ（Ｇａｔｅｗａｙ）によって結合されて適用される状態を説明するためのブロック図である。【００２１】  図１及び図２に示す通り、本発明の壁面付着型タッチスイッチは大きく分けて、スイッチボックス部１００と、バックカバー部２００と、固定プレート部３００と、ＬＣＤタッチパッド部４００から構成される。【００２２】  図３及び図４に示す通り、本発明によるスイッチボックス部１００は、内部に空間が形成され、一側が開口するように形成される。【００２３】  前記スイッチボックス部１００は金属から形成される。【００２４】  前記スイッチボックス部１００は壁面に設けられる埋入ボックス（図示せず）に挿入及び固定されることができる。【００２５】  前記バックカバー部２００はその内部に空間が形成され、一側が開口である。【００２６】  前記バックカバー部２００は前記スイッチボックス部１００の内部空間に位置されることができる。ただし、前記バックカバー部２００の一端はスイッチボックス部１００の外部に突出する。【００２７】  前記バックカバー部２００の内部空間には２個のＰＣＢ３３０が配置され、前記２個のＰＣＢ３３０は積層型で構成されることができる。【００２８】  前記２個のＰＣＢ３３０はスイッチング動作の遂行における制御動作を遂行することができる。【００２９】  前記２個のＰＣＢ３３０は、バックカバー部２００の内部側壁に段差を有する位置に掛けることができ、ボルトのような締結手段を介して固定されることができる。【００３０】  一方、本発明による固定プレート部３００は前記スイッチボックス部１００の一端に結合される。【００３１】  前記固定プレート部３００の中央には貫通ホール３１０が形成される。【００３２】  前記貫通ホール３１０は、前記バックカバー部２００の外形と同一の形状をなす穴で形成されることが好ましい。【００３３】  また、前記貫通ホール３１０の内周には、スイッチボックス部１００の内部空間に向かって延長する支持片３２０が延長形成される。【００３４】  ここで、上述のバックカバー部２００は、固定プレート部３００の貫通ホール３１０���貫通し、貫通ホール３１０の内周で延長する支持片３２０に密着することで容易に固定されることができる。【００３５】  したがって、バックカバー部２００の一端は固定プレート部３００の外側に突出され、他端はスイッチボックス部１００の内部空間に位置される。【００３６】  本発明によるＬＣＤタッチパッド部４００は前記バックカバー部２００の一端に固定される。【００３７】  前記ＬＣＤタッチパッド部４００は前記複数のＰＣＢ３３０と電気的に連結される。【００３８】  前記複数のＰＣＢ３３０にスイッチング駆動情報を静電式タッチ方式で入力する。【００３９】  前記ＬＣＤタッチパッド部４００は、メインＰＣＢ４１０と、ＬＣＤ４２０と、ベゼル４３０と、ゴムパッキン４４０から構成される。【００４０】  前記メインＰＣＢ４１０の一面部は前記バックカバー部２００の一端に締結手段を介して固定される。【００４１】  前記メインＰＣＢ４１０の面積は、バックカバー部２００の一端の面積よりも広く形成される。【００４２】  前記メインＰＣＢ４１０の一面には移動式メモリー（ＳＤ、図示せず）が挿入され、前記複数のＰＣＢ３３０と電気的に連結されるメモリー挿入部４１１が形成されることができる。【００４３】  前記移動式メモリーは、スイッチ動作に要求されるコンテンツ、タグ、ノードなどの構成情報が予め保存または変更保存することができる。【００４４】  前記移動式メモリーに保存される構成情報は、メインＰＣＢ４１０に伝達することができる。【００４５】  また、移動式メモリーは、メモリー挿入部４１１に対して着脱可能であるため、作業者がメンテナンスし或いはファームウェアをアップグレードする場合、作業の容易性を確保することができる。【００４６】  前記ＬＣＤ４２０は前記メインＰＣＢ４１０と電気的に連結され、前記静電式タッチ方式で入力信号を前記メインＰＣＢ４１０に伝達する。【００４７】  前記ＬＣＤ４２０は多様な構成画面をディスプレイすることができ、該構成画面を介して、使用者は指先で静電式タッチを介して当該スイッチング命令を入力してメインＰＣＢ及び複数のＰＣＢに伝達してスイッチング動作が遂行されるようにすることができる。【００４８】  そして、前記ＬＣＤ４２０の枠を固定するように前記固定プレート部３００の枠と結合されるベゼル４３０が設けられる。【００４９】  また、前記ベゼル４３０と、前記ＬＣＤ４２０の枠を密閉するゴムパッキン４４０が設けられ、ＬＣＤ４２０間における気密を維持することができる。【００５０】  一方、図５及び図６に示す通り、本発明の図３及び図４による壁面付着型タッチスイッチの構成要素のうち、ＬＣＤタッチパッド部４００の構成と配置順序が異なって形成される構造の発明としてまた他の実施例を示している。【００５１】  図３において、ＬＣＤタッチパッド部４００は、固定プレート部３００上にメインＰＣＢ４１０、ＬＣＤ４２０、ゴムパッキン４４０、ベゼル４３０の順に結合される構造を有するか、発明のまた他の実施例は図５のように固定プレート部３００上にベゼル４３０、メインＰＣＢ４１０、ＬＣＤ４２０の順に結合される構造から形成されることを特徴とする。【００５２】  すなわち、図５及び図６のように壁面に形成���れる埋入ボックスに挿入されるスイッチボックス部１００と、前記スイッチボックス部１００の内部に挿入され、複数のＰＣＢ３３０が積層されて配置されるバックカバー部２００と、前記スイッチボックス部１００に結合され、前記バックカバー部２００が貫通され、貫通される前記バックカバー部の外面を支持する固定プレート部３００と、前記固定プレート部３００を貫通した前記バックカバー部２００の一端と結合され、前記複数のＰＣＢ３３０と電気的に連結され、前記複数のＰＣＢ３３０にスイッチング駆動情報を静電式タッチ方式で入力するＬＣＤタッチパッド部４００と、を含んで構成される。【００５３】  前記固定プレート部３００には、前記バックカバー部２００が貫通される貫通ホール３１０と、前記貫通ホール３１０の内周から延長して前記バックカバー部２００の外面を支持する支持片３２０が形成される。【００５４】  前記ＬＣＤタッチパッド部４００は、図５及び図６のようにベゼル４３０、メインＰＣＢ４１０、ＬＣＤ４２０の順に積層される構造を有する。【００５５】  前記ベゼル４３０は、一端が前記固定プレート部３００と結合することができる固定プレート部結合片４３３を備え、前記バックカバー部２００の一端とボルト（図示せず）を使用して結合することができるようにベゼルボルト孔４３１が備えられる。また前記ベゼル４３０の他端には前記メインＰＣＢ４１０及びＬＣＤ４２０を収容する溝を備え、前記メインＰＣＢ４１０と一定の遊隔を維持することができるように複数のメインＰＣＢ遊隔ピン４３２を備えている。【００５６】  メインＰＣＢ４１０は前記複数のＰＣＢ３３０と電気的に連結され、前記メインＰＣＢ４１０の面積は、バックカバー部２００の一端の面積よりも広く形成される。前記メインＰＣＢ４１０の一面には移動式メモリー（ＳＤ、図示せず）が挿入され、前記複数のＰＣＢ３３０と電気的に連結されるメモリー挿入部４１１が形成され得る。前記移動式メモリーはスイッチ動作に要求されるコンテンツ、タグ、ノードなどの構成情報が予め保存または変更保存することができる。前記移動式メモリーに保存される構成情報はメインＰＣＢ４１０に伝達することができる。また、移動式メモリーはメモリー挿入部４１１で着脱可能であるため、作業者がメンテナンスし或いはファームウェアをアップグレードする場合、作業の容易性を確保することができる。【００５７】  前記ＬＣＤ４２０は静電式タッチ方式で入力信号を前記メインＰＣＢに伝達する機能を有する。【００５８】  前記ＬＣＤ４２０は多様な構成画面をディスプレイすることができ、該構成画面を介して、使用者は指先で静電式タッチを介して当該スイッチング命令を入力してメインＰＣＢ及び複数のＰＣＢに伝達してスイッチング動作が遂行されるようにすることができる。【００５９】  図５の構成要素であるスイッチボックス部１００、バックカバー部２００、複数のＰＣＢ３３０、固定プレート部３００は図３と同一の構造と同一の順に結合される。発明のまた別の実施例のバックカバー部２００は固定プレート部３００の貫通ホール３１０を貫通し、貫通ホール３１０の内周で延長する支持片３２０によって前記バックカバー部２００の横面を密着して堅固に支持��る。【００６０】  図６のようにバックカバー部２００の一端はベゼル４３０の外側に突出して結合される構造を有し、他端はスイッチボックス部１００の内部空間に位置される。バックカバー部２００とベゼル４３０はそれぞれバックカバー部ボルト孔２１０とベゼルボルト孔４３１が複数個備えられ、形状に相互対応して組み立てられた後、ボルトによって結合される構造を有している。【００６１】  前記ＬＣＤタッチパッド部４００は前記複数のＰＣＢ３３０と電気的に連結される。前記複数のＰＣＢ３３０にスイッチング駆動情報を静電式タッチ方式で入力する。【００６２】  前記ＬＣＤタッチパッド部４００はメインＰＣＢ４１０、ＬＣＤ４２０、ベゼル４３０から構成され、各構成要素間の結合は両面接着テープ、接着剤、ナット、結合片などの締結手段を介して結合される。【００６３】  また、前記ベゼル４３０と、前記ＬＣＤ４２０の枠には図３のように密閉するゴムパッキンを設けて気密を維持することもできる。【００６４】  一方、図８ないし図１０に示す通り、本発明による壁面付着型タッチスイッチは静電容量式タッチパッドＴＦＴ（ｔｈｉｎ ｆｉｌｍ ｔｒａｎｓｉｓｔｏｒ）ＬＣＤ画面を用いたスイッチとして、ジグビー（Ｚｉｇｂｅｅ）通信方式または電源重畳通信方式（Ｅ／Ｆ２）をそれぞれ選択して適用することができるか、前記ジグビー（Ｚｉｇｂｅｅ）通信方式と電源重畳通信方式（Ｅ／Ｆ２）をゲートウェイ（Ｇａｔｅｗａｙ）を介して結合して適用することができる。【００６５】  これは、前記壁面付着型タッチスイッチに内蔵されているジグビー（Ｚｉｇｂｅｅ）装置を介して無線で照明制御することを可能にし、また電源重畳通信方式（Ｅ／Ｆ２）との接続を介して主コントローラー及び管制装置との通信及び電源供給を可能にする。【００６６】  よって、電源重畳通信方式及びジグビー通信方式に対応可能であり、アドレスターミナルユニットを介して有無線機器を制御することができる。【００６７】  これにより、電源重畳通信方式網を 活用して、多様な照明制御舞台（ｓｃｅｎｅｓ）を演出することができ、ダリ（ＤＡＬＩ）網を活用してグループセッティングが可能である。【００６８】  特に、本発明による壁面付着型タッチスイッチは使用環境に応じてジグビー（Ｚｉｇｂｅｅ）通信方式と電源重畳通信方式（Ｅ／Ｆ２）をそれぞれ選択または結合適用して照明装置のオン／オフ（Ｏｎ／Ｏｆｆ）あるいはディミング制御を行うことができる。【００６９】  また、前記壁面付着型タッチスイッチのタッチＬＣＤスイッチ（Ｔｏｕｃｈ ＬＣＤ Ｓｗｉｔｃｈ）エディタとシミューレーターを介してＰＣでボタン属性、画面構成及び動作機能を編集することができ、これを移動式メモリー（ＳＤ）カードに保存してタッチＬＣＤスイッチ（Ｔｏｕｃｈ ＬＣＤ Ｓｗｉｔｃｈ、ＴＬＳ）に保存することができる。これは使用者本位の編集機能を提供するためである。【００７０】  かかる機能を介して使用者は容易に照明機器をグループ／個別制御をスイッチ画面内で構成し、時間帯別の照明の色温度の演出（朝／夕方 Ｗａｒｍ Ｗｈｉｔｅ、昼 Ｃｏｏｌ Ｗｈｉｔｅ）を基盤とした照明シナリオを照明機器に適用して動作させることができ、かかる動作をボタン化し��タッチＬＣＤスイッチ（ＴＬＳ）画面にディスプレイすることができる。【００７１】  室内空間で使用者の必要性または回路構成の限界に応じて照明機器を制御するスイッチが複数個使用されることがあり、かかる場合、使用者は照明機器と連動されるスイッチを探すのが困難になり得る問題を解決するため、本発明による壁面付着型タッチスイッチはタッチＬＣＤスイッチ（ＴＬＳ）画面に建築物の平面図をディスプレイして照明機器を区分することができ、個別制御を明示的に遂行することができる。【００７２】  また、本発明は、電源重畳通信方式を介してＬＣＤの駆動装置とバックライトに電源を供給することはノード増加時に消費電力が急激に増加する問題があるが、電源保存装置（バッテリー）、充電回路及び開閉回路を介して維持充電（Ｔｒｉｃｋｌｅ ｃｈａｒｇｅ）機能を採用することができる。バッテリーセルを追加してスリムモード時に維持充電（Ｔｒｉｃｋｌｅ ｃｈａｒｇｅ）機能を遂行して充電し、ＬＣＤ Ｔｏｕｃｈ画面操作及びモニタリング機能時にバッテリーに保存されたエネルギーを使用することでエネルギー節約をさらに高めることができる。【００７３】  これは、ＬＣＤ画面タッチも使用者の操作時に高い消費電流とエネルギーが必要とするが、使用者の実質的な操作時間が短いため、瞬間発生する消費電流とエネルギーにだけ必要とするのに補助電源バッテリーである維持充電（Ｔｒｉｃｋｌｅ ｃｈａｒｇｅ）機能を遂行するようにし、使用者がＬＣＤ画面タッチ時にシステム電源を使用せず、バッテリーに保存された電流を使用して安定したシステム電源状態を維持すると同時に、スリープ（Ｓｌｅｅｐ）機能遂行時に維持充電（Ｔｒｉｃｋｌｅ Ｃｈａｒｇｅ）機能を遂行して非常に小さな微細電流で充電することでエネルギー節減を行うことができる。【００７４】  一般的なタッチスイッチ動作は多くの機能を複合的に伴って消費電流が高いのに比べ、本発明によるフィンガータッチは単純機能を遂行するため作動時に使用する電流が非常に小さくエネルギー節減効果があり、これは図面に示さなかったが、ＬＣＤタッチパッド部４００にはＬＣＤ Ｔｏｕｃｈの他に３個の静電式フィンガータッチボタンを構成し、スリープ（Ｓｌｅｅｐ）機能の遂行中に使用者の操作が必要な状況ではフィンガータッチを介してウェイクアップ（Ｗａｋｅｕｐ）機能を遂行し、低い消費電流と簡便な操作でもウェイクアップ（Ｗａｋｅｕｐ）機能を遂行し、使用者が設定したいくつかの場面のグラフィック、コンテンツ（Ｃｏｎｔｅｎｔｓ）、タグ（Ｔａｇ）設定画面の移動などがスマートフォンのように簡便に使用することができる。【００７５】  また、前記ＬＣＤタッチパッド部４００にはＬＣＤ照明を構成するバックライトが備えられ、バックライトはＬＣＤに可視化されるコマンドウィンドウで静電式タッチを介して照明レベルを設定された範囲で可変調節することもでき、タッチ反応時にＬＣＤウィンドウを活性化することができる。【００７６】  上記のような構成及び作用を介して、本発明による実施例はスイッチング駆動プログラムを用いてスイッチング制御動作に要求される画面の内容をＬＣＤに構成し、移動式メモリーを介してグラフィックファイル及びノードに対する��グを登録することができる利点がある。【００７７】  また、本発明による実施例はコンテンツ、タグ、ノードなどの構成情報を別途の通信、装備がなくても容易にＰＣで製作し、移動式メモリーに情報を保存して簡便に登録することができる利点がある。【００７８】  また、本発明による実施例はＬＣＤに画面構成を複数個製作し、そのうち１個を画面に表示してそれぞれ個別画面で制御でき、複合的な機能を遂行することができる利点がある。【００７９】  また、本発明による実施例は静電容量式タッチパッドを採用し、使用者のタッチを感知時に動作を活性化させるようにしてエネルギーを効率的に節減することができる利点がある。【００８０】  以上、本発明の壁面付着型タッチスイッチに関する具体的な実施例に関して説明したが、本発明の範囲から離脱しない限度内では様々な実施変形が可能であることは自明である。【００８１】  そのため、本発明の範囲は説明された実施例に限られるものではなく、後述する特許請求の範囲のみならず、本特許請求の範囲と均等なものによって定められなければならない。【００８２】  すなわち、上述の実施例はすべての面で例示的なものであり、限定的なものではないことを理解しなければならず、本発明の範囲は詳細な説明よりは後述される特許請求の範囲によって示され、その特許請求の範囲の意味及び範囲、そしてその等価概念から導き出されるすべての変更または変形された形態が本発明の範囲に含まれるものと解釈されなければならない。
【図１】
0006406561.tif 000002
【図２】
0006406561.tif 000003
【図３】
0006406561.tif 000004
【図４】
0006406561.tif 000005
【図５】
0006406561.tif 000006
【図６】
0006406561.tif 000007
【図７】
0006406561.tif 000008
【図８】
0006406561.tif 000009
【図９】
0006406561.tif 000010
【図１０】
0006406561.tif 000011